(57)【特許請求の範囲】
【請求項１】
冷蔵室の上面に、凝縮ユニットと電装箱とを収納する機械室が設けられた冷却貯蔵庫において、
前記機械室内にはユニット収納室が壁を介して隔離状態に形成され、そのユニット収納室の内側に凝縮ユニットが、外側に電装箱がそれぞれ収納されており、かつ前記ユニット収納室は前記機械室の天板の一部を隆起させて形成され、この隆起部を有するユニット収納室に、外気を吸引する吸気口と、凝縮ユニットを冷却したあとの暖排気を外部に排出する排気口とが形成されていることを特徴とする冷却貯蔵庫。
【発明の詳細な説明】
【０００１】
【発明の属する技術分野】
本発明は、機械室の換気構造に改良を加えた冷却貯蔵庫に関する。
【０００２】
【従来の技術】
例えば冷却機能を備えた配膳車は、食品を収納する移動可能な冷蔵室の上面に、凝縮ユニットと電装箱とを収納した機械室が設けられた構造となっており、冷却運転中には、凝縮ユニットとりわけ凝縮器が高温になるためそれを冷却する必要がある。そのため従来は、凝縮器に付設された凝縮器ファンを駆動することによって、機械室の背面側に開口された吸気口から外気を吸引し、凝縮器ユニットを冷却したあとの暖排気を、機械室の天井面や側面に開口された排気口から外部に排出するようにしていた。
【０００３】
【発明が解決しようとする課題】
ところでこのような配膳車では、下膳時等にトレイを機械室の天井面に載せることがよくあり、残り汁等が天井面の排気口から機械室内に滴下して、衛生上芳しくなかった。そうかといって排気口を側面だけに限ると、排気が十分に行われず、機械室内に熱がこもって電装品を痛めたり、冷却能力を低下させるという問題があった。
本発明の冷却貯蔵庫は、上記のような事情に基づいて完成されたものであって、その目的は、機械室の天井面における広い部分を物品の載置用として有効に利用できるようにし、また電装品が熱により損傷を受けることがないようにすることにある。
【０００４】
【課題を解決するための手段】
請求項１の発明は、冷蔵室の上面に、凝縮ユニットと電装箱とを収納する機械室が設けられた冷却貯蔵庫において、前記機械室内にはユニット収納室が壁を介して隔離状態に形成され、そのユニット収納室の内側に凝縮ユニットが、外側に電装箱がそれぞれ収納されており、かつ前記ユニット収納室は前記機械室の天板の一部を隆起させて形成され、この隆起部を有するユニット収納室に、外気を吸引する吸気口と、凝縮ユニットを冷却したあとの暖排気を外部に排出する排気口とが形成されているところに特徴を有する。
【０００５】
【発明の作用および効果】
＜請求項１の発明＞
冷却運転中は、外気が吸気口からユニット収納室内に吸引されて凝縮ユニットが冷却され、熱交換されたあとの暖排気はユニット収納室に開口された排気口から外部に排出される。
すなわち、暖排気は隔離状に設けられたユニット収納室から直接に外部に排出されるので、効率良く換気が行われるとともに、暖排気が電装箱の収納位置に回ることが阻止されて、電装品の損傷等を未然に防止することができる。
【０００６】
機械室の天板における隆起部が形成されていない部分は、開口のない閉塞面とされる。
【０００７】
【発明の実施の形態】
以下、本発明を冷温配膳車に適用した一実施形態を図１ないし図５に基づいて説明する。
まず本実施形態に係る冷温配膳車の構造の概要を図１によって説明する。この冷温配膳車は、全体として矩形箱状に構成された保温室本体１を備えており、上面に詳しくは後記する機械室２が設けられているとともに、底部に移動用の複数個のキャスタ３が、側面にハンドル４がそれぞれ設けられている。保温室本体１は前後両面が開放されているとともに、天井壁、底壁並びに左右の側壁内に発泡ウレタン等の断熱材を充填した断熱箱体として構成されている。保温室本体１の中央部には中空の中間壁６が設けられ、これにより内部に左右２室のワゴン収容室７が区画形成され、各ワゴン収容室７の前面及び背面には扉８が開閉可能に設けられている。
【０００８】
各ワゴン収容室７は左右対称的に設けられており、上記した中間壁６内には、機械室２内の凝縮ユニット２０と接続されて冷気を生成する図示しない冷却器が配設され、その冷気がファンにより各ワゴン収容室７における中間壁６に近い方の領域に循環供給されるようになっている。一方、左右のワゴン収容室７の外側の部分の天井面には加熱ユニット３４（図２参照）が設置され、そこで生成された温風が各ワゴン収容室７における左右の側壁に近い方の領域に循環供給されるようになっている。
【０００９】
各ワゴン収容室７内には、食品が載置されるプラスチック製等のトレイ１０を上下多段に収容する棚１１を設けたワゴン１２が、車輪１３を介して引き出し可能に収容されている。トレイ１０は横長の矩形状に形成され、横幅の略中央に設けられた境界部１０ａを挟んだ一側に冷たい状態で供される食品が、他側に温かい状態で供される食品がそれぞれ載置される。ワゴン１２にはそれを左右に仕切るようにして断熱壁１４が設けられており、各トレイ１０は、その境界部１０ａを断熱壁１４に設けられた隙間１５に挿入しつつ棚１１上に載せられるようになっている。そして上記のように断熱壁１４の設けられたワゴン１２がワゴン収容室７に収容された場合に、右側のワゴン収容室７では、左側に冷蔵室１７が、右側に温蔵室１８が、一方左側のワゴン収容室７では、右側に冷蔵室１７が、左側に温蔵室１８がそれぞれ構成される。したがって、一つのトレイ１０に載せられた冷食は冷蔵室１７で、温食は温蔵室１８でそれぞれ保温されることとなる。
【００１０】
続いて、機械室２の構造を詳細に説明する。
図２に示すように、機械室２の底面となる保温室本体１の上面には、その横幅方向の中央部、すなわち左右の冷蔵室１７の上面に跨るようにして凝縮ユニット２０が設置されている。この凝縮ユニット２０は方形の基盤２１上に設置され、前面側から順次に、圧縮機２２、凝縮器ファン２３および凝縮器２４が配置されている。この凝縮ユニット２０は、上記した中間壁６内の冷却器と配管接続され、公知の冷凍サイクルを構成している。
【００１１】
凝縮ユニット２０の回りは、基盤２１の外側に嵌まるようにして取り付けられた隔壁２５で覆われている。この隔壁２５はおおまかには、前面壁２６と左右の側壁２７とからなっている。左右の側壁２７は、図４にも示すように保温室本体１の上面の前縁から後縁の少し手前の位置まで延出され、側壁２７の後縁は、凝縮器２４の端部付近まで内側に折曲されている。各折曲部２８は基盤２１の後縁側の角部に立てられたブラケット３０の外側に嵌められるが、両ブラケット３０のうちの正面から見た右側のブラケット３０には、折曲部２８の先端部分から背面側に向けて突出する仕切壁３１が形成されている。前面壁２６は、左右の側壁２７の前縁よりも所定寸法内方に入った位置において、両側壁２７の間に差し渡されるようにして配されている。
【００１２】
また、保温室本体１の上面の長さ方向の両側、すなわち左右の温蔵室１８の上方に対応する位置には、上記した加熱ユニット３４が取付孔３５に嵌められることで取り付けられている。正面から見た左側の加熱ユニット３４と、隔壁２５における左側の側壁２７との間の位置には、各種電装品を内部に収納した直方体状の電装箱３７が設置されている。詳細には、図４に示すように、奥側のほぼ半分の領域において設置されている。
【００１３】
機械室２を形成するパネルとして、保温室本体１の上面の周縁に沿って立てられる前後と左右のパネル４０〜４３、ならびにその上に被せられる天板４４が備えられている。フロントパネル４０の内面には、図４に示すように、上記した隔壁２５の左右の側壁２７の前縁が当てられ、フロントパネル４０と前面壁２６との間に収納スペース４７が形成されて、その中にパネルボックス４６が収納されている。
リヤパネル４１の内面には、上記した右側の側壁２７の折曲部３８から突設された仕切壁３１の先端が直角に当てられ、右側の折曲部２８とリヤパネル４１の間が閉鎖されている。一方の左側の側壁２７の折曲部２８とリヤパネル４１の間は開放されて流入路４８が構成されている。
【００１４】
天板４４は、長さ方向の中央部、すなわち凝縮ユニット２０の設置位置に対応した部分に、所定高さ隆起した隆起部５０が形成されている。この隆起部５０は、平面方形をなしていて、天面がフラットで、回りの４側面のうち前後の側面が垂直面で、左右の側面が傾斜面となっている。この天板４４が、上記の４枚のパネル４０〜４３ならびに隔壁２５の上縁に当てられた状態で被せられて固定され、これにより機械室２が構成されている。機械室２の４つのコーナ部には、それぞれバンパ５２が装着されている。
【００１５】
したがって機械室２内では、図４に示すように、その中央部分に隔壁２５により囲まれたユニット収納室５４が形成され、その中に凝縮ユニット２０が収納されている。このユニット収納室５４は、右側の部屋５５ｂからは仕切壁３１を介して隔離状態とされている一方、左側の部屋５５ａとは、外気の入り口側において流入路４８を介して連通された状態にある。なお、凝縮器２４の後面側には、図２に示すように、隆起部５０の天面に開口された差込溝５６を通してエアフィルタ５７が装着されるようになっている。
【００１６】
空気の流通構造は以下のようである。図３に示すように、リヤパネル４１の中央部、ならびに天板４４の隆起部５０の後面、すなわちユニット収納室５４の背面位置には、外気を吸引する多数の吸気口５９が開口されている。一方、隆起部５０における前面と、天面と左右の側面の前端側には、暖排気を外部に排出する多数の排気口６０が開口されている。
【００１７】
また、機械室２の正面から見た左側のサイドパネル４２には、図３，４に示すように、その前端側の部分に複数の補助吸気口６２が開口されている。この補助吸気口６２の全体の開口面積は、上記したユニット収納室５４の背面側に設けられた吸気口５９の全体の開口面積の半分以下となるように設定されている。また、上記した電装箱３７には、図４に示すように、左側の側面と後面とに通口６４が開口されている。したがって、ユニット収納室５４の左側の部屋５５ａには、その対角線に沿うようにして、サイドパネル４２の補助吸気口６２から電装箱３７の設置位置を通って流入路４８に達する補助吸気路が構成されるようになっている。
【００１８】
本実施形態は以上のような構造であって、続いてその作用を説明する。
冷却運転が行われると、凝縮器ファン２３が駆動されることによって、図４，５の矢線に示すように、ユニット収納室５４の背面に形成された吸気口５９から外気がユニット収納室５４内に吸引され、凝縮器２４さらには圧縮機２２を冷却し、熱交換されたあとの暖排気は、ユニット収納室５４の前面側、すなわち隆起部５０における前面と、天面と左右の側面の前端側に設けられた排気口６０から外部に排出される。すなわち、ユニット収納室５４内で生じた暖排気は、左右の部屋５５ａ，５５ｂに回ることなくすべて前面側の排気口６０から外部に排出される。
【００１９】
また、加熱運転が併せて行われると、温蔵室１８の直上にある左右の部屋５５ａ，５５ｂの温度が上がり、左側の部屋５５ａに設置された電装箱３７内の電装品に悪影響を及ぼすおそれがある。しかしながら、上記した凝縮器ファン２３の駆動によって、図４の矢線に示すように、外気がサイドパネル４２の補助吸気口６２から吸引されて、通口６４を通りつつ電装箱３７内を通過し、流入路４８からユニット収納室５４内に導入され、その後外部に排出されるという空気の流れが生ずる。補助吸気口６２の開口面積は、ユニット収納室５４の背面の吸気口５９の開口面積よりも小さく押さえられているので、左側の部屋５５ａでは外気がゆっくりと流れる。このように外気が直接に電装箱３７内をゆっくりと流れることで電装品が有効に冷却され、その損傷等が未然に防止される。
【００２０】
また、上記の外気の流れに巻き込まれるようにして、左側の部屋５５ａの温度上昇した空気も流入路４８からユニット収納室５４内に導入されて、外部に排出される。特に、反対の右側の部屋５５ｂは、隔壁２５ならびに仕切壁３１によって、ユニット収納室５４と左側の部屋５５ａとは遮断されているので、左側の部屋５５ａの換気は効率良く行われる。
【００２１】
以上説明したように本実施形態によれば、凝縮ユニット２０を収納したユニット収納室５４が機械室２内において隔離状に設けられていて、凝縮ユニット２０と熱交換されたあとの暖排気は、余分な所に回ることなくユニット収納室５４から直接に外部に排出されるので、効率良く換気が行われる。また電装箱３７には、上記の暖排気が当たるのが阻止されていることに加え、外気が直接に当てられて積極的に冷却されるようになっているから、電装品の損傷等が確実に防止される。しかも、電装箱３７に当てる外気の流れを作るのは同じ凝縮器ファン２３を利用しているので、経済性に優れる。
【００２２】
また暖排気の排気口６０は、天板４４の隆起部５０のみに形成されていて、左右の部屋５５ａ，５５ｂの上方に対応する天板４４の部分は開口のない閉塞面となっているから、異物の落下等を心配することなく、トレイ１０の載置面として利用することができる。また、フロントパネル４０に排気口が形成されていないので、パネルボックス４６の操作をした場合に、暖排気を顔等に受けて不快な思いをすることも避けられる。
【００２３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）本発明は上記実施形態に示した冷温配膳車に限らず、冷蔵庫、冷凍庫等の単独で使用される冷却貯蔵庫全般に広く適用することができる。
【図面の簡単な説明】
【図１】  本発明の一実施形態に係る冷温配膳車の外観斜視図である。
【図２】  機械室の分解斜視図である。
【図３】  機械室を背面から見た斜視図である。
【図４】  機械室を上面から見た断面図である。
【図５】  図４のV−V線断面図である。
【符号の説明】
１…保温室本体  ２…機械室  １７…冷蔵室  ２０…凝縮ユニット  ２３…凝縮器ファン  ２５…隔壁  ３１…仕切壁  ３７…電装箱  ４２…サイドパネル  ４８…流入路  ５４…ユニット収納室  ５５ａ，５５ｂ…左右の部屋  ５９…吸気口  ６０…排気口  ６２…補助排気口  ６４…（電装箱３７の）通口
【図１】
0003706192.tif 000002
【図２】
0003706192.tif 000003
【図３】
0003706192.tif 000004
【図４】
0003706192.tif 000005
【図５】
0003706192.tif 000006